(57)【要約】  【課題】  ペットの糞を袋により捉えて回収する器具において、取り付けることができる袋の制限を少なくするとともに、簡易に取り付けることができ、また、匂いの拡散を防止することを課題とする。  【解決手段】  ペット用糞回収具として、取っ手が設けられた枠体と、前記枠体に挿入されて前記枠体の一面を覆うように側面を折り返された所定の袋の側面を、前記枠体の前記一面とともに狭持するように前記枠体に係合する狭持体と、前記狭持体に設けられる、前記枠体に固定される前記袋に形成される開口を塞ぐ蓋体とを設ける。【選択図】  図１
0003114946.tif 000002
【実用新案登録請求の範囲】
【請求項１】
取っ手が設けられた枠体と、
前記枠体に挿入されて前記枠体の一面を覆うように側面を折り返された所定の袋の側面を、前記枠体の前記一面面とともに狭持するように前記枠体に係合する狭持体と、
前記狭持体に設けられる、前記枠体に固定された前記袋に形成される開口を塞ぐ蓋体と
よりなるペット用糞回収具。
【請求項２】
前記狭持体は前記枠体に設けられる穴に係合する突起により前記枠体に係合するものであって、前記袋の側面の一部はこの突起と穴とにより狭持されるものである請求項１に記載のペット用糞回収具。
【請求項３】
前記枠体には、所定のティッシュケースを保持することができるティッシュケース保持手段を有する請求項１又は２に記載のペット用糞回収具。
【考案の詳細な説明】
【技術分野】
【０００１】
本考案は、犬等のペットが散歩の途中で糞する際に、これを回収するための器具に関する。
【背景技術】
【０００２】
犬等のペットを散歩させる際に、散歩の途中で犬等が糞をする場合があり、飼い主はこれを回収しなければならない。回収の方法の一つとして、犬等の糞が地面に落ちる前に、柄の付いた袋により捉えて回収する方法があり、このための器具も市販されている。
【考案の開示】
【考案が解決しようとする課題】
【０００３】
しかし、このような器具は、専用の袋を使用しなければならないために袋がなくなってしまって買い忘れるような状況になると使用することができなくなる。また、取り付けに手間がかかるものもや、蓋が無いために回収した糞の匂いが拡散してしまうものも多い。
本考案は、かかる問題に鑑みて、ペットの糞を袋により捉えて回収する器具において、取り付けることができる袋の制限を少なくするとともに、簡易に取り付けることができ、また、匂いの拡散を防止することを課題とする。
【課題を解決するための手段】
【０００４】
上記課題を解決するために、本考案は次のような構成を有する。
請求項１に記載の考案は、取っ手が設けられた枠体と、前記枠体に挿入されて前記枠体の一面を覆うように側面を折り返された所定の袋の側面を、前記枠体の前記一面とともに狭持するように前記枠体に係合する狭持体と、前記狭持体に設けられる、前記枠体に固定される前記袋に形成される開口を塞ぐ蓋体とよりなるペット用糞回収具である。
請求項２に記載の考案は、前記ペット用糞回収具において、前記狭持体は前記枠体に設けられる穴に係合する突起により前記枠体に係合するものであって、前記袋の側面の一部はこの突起と穴とにより狭持されるものである。
請求項３に記載の考案は、前記ペット用糞回収具において、前記枠体には、所定のティッシュケースを保持することができるティッシュケース保持手段を有するものである。
【考案の効果】
【０００５】
請求項１に記載の考案は、枠体の外周よりも大きな開口を有する袋であればどのような袋にも使用することができる。また、枠体に狭持体を係合させて袋の側面を狭持することで簡易に袋を枠体に固定できる。さらに、蓋体を設けることで匂いの拡散を防止することができる。
請求項２に記載の考案は、袋を穴に嵌入する突起により狭持して固定することにより、強固に袋を固定することができる。
請求項３に記載の考案は、枠体にティッシュケースを保持させることで、糞を捉え損ねた場合に、ティッシュケースからティッシュを取り出し、これによって糞をつかんで袋へと投入することができる。
【考案を実施するための最良の形態】
【０００６】
以下、本考案の実施形態について、図面を参照しながら説明する。図１に本実施形態にかかるペット用糞回収具Ｘの斜視図を示す。本ペット用糞回収具Ｘは枠体１０、枠体１０に固定される取っ手２０、枠体１０の上面に係合する狭持体３０、狭持体３０に回動自在に固定される蓋体４０とから構成される。図２に枠体１０と取っ手２０の斜視図を、図３に狭持体３０と蓋体４０の裏面から見た斜視図を示す。
枠体１０は、略正方形状の丸みを帯びた合成樹脂性の枠により形成される。枠体１０の上面はほぼ平らに形成され、４つの穴１１が設けられている。
取っ手２０は、枠体１０の側方に延びる扁平の棒体に数箇所四角い穴が形成された杆体２１と、杆体２１の先端に設けられる、丸みを帯びた長方形状のリングにより形成されるハンドル２２とから形成される。取っ手２０は枠体１０と同じ合成樹脂により一体に成型される。ハンドル２２の上面は略平らに形成され、２つの穴２２ａが形成されている。また、ハンドル２２の一角には紐をつけてティッシュケースを吊下げるための留め環２２ｂが形成されている。
【０００７】
狭持体３０は、平面視、枠体１０と略同じ形状を有する板状のリング形状であり、合成樹脂により形成される。そして、狭持体３０の裏面には、枠体１０の穴１１に係合するやや先細りの円筒形状の突起３１が４つ設けられている。なお、狭持体３０の表面の突起３１の裏に位置する部分には、穴３３が形成される。また、リング形状の４隅には、枠体１０の角に位置する側面に当接する板状のガイド体３２が下方に垂直に延びるように形成されている。
蓋体４０は、平面視、狭持体３０の外形と同じ形状を有する板体であり、枠体３０の一縁にヒンジにより回動可能に固定されている。蓋体４０の裏面（図１に表れている面）には、狭持体３０の表面の穴３３の内の２つに係合する突起である狭持体係合突起４１が形成されている。また、蓋体４０の表面（図３に表れている面）には、取っ手２０のハンドル２２に設けられる穴２２ａに係合する突起であるハンドル係合突起４２が形成されるとともに、長方形状の板状体からなるツマミ４３が形成されている。
【０００８】
次に、上記のような構成を有するペット用糞回収具Ｘの使用方法について説明する。犬等を散歩に連れ出そうとする使用者は、まず、狭持体３０と枠体１０とを分離した状態で、枠体１０に適当な袋を装着する。袋は開口の大きさが枠体１０の外形より大きければどのようなものでも使用することができる。装着は袋を開口が上になるように枠体１０の内側に通し、開口近傍の側面を外側に折り返して枠体１０の外周を包むようにする。次に、狭持体３０を枠体１０に係合させる。この際、狭持体３０のガイド体３２を枠体１０の四隅に当接させながら下方へ押し下げることで、狭持体３０の突起３１が、枠体１０の穴１１にスムーズに係合するようになっている。この際、突起３１は袋の側面を穴１１に押し込むように係合し、袋の側面の一部は突起３１と穴１１とにより狭持され、袋はしっかりと枠体１０と狭持体３０との間に挟まれて固定されることになる。また、ハンドル１２の留め環１２ａにはティッシュケースを吊下げておく。
【０００９】
この状態で、犬等を散歩に連れ出す。そして、犬等が糞をする体勢になったら、ハンドル１２を持って、蓋体４０が閉じていれば蓋体４０のツマミ４３を持って蓋体４０を開ける。この際、蓋体４０が閉じないように蓋体４０の表面に形成されるハンドル係合突起４２をハンドル２２の穴２２ａに係合させ蓋体４０を固定する。そして、枠体１０の開口を糞が落下する位置へ差し出し、落下する糞を枠体１０が固定する袋により捉え回収する。この際、うまく糞が袋に入らず、地面に落下した場合には、留め環１２ａに吊下げているティッシュケースからティッシュを取り出して、これを介して糞をつかんで袋内へ糞を投入する。その後、狭持体３０の穴３３に蓋体４０の狭持体係合突起４１を係合させるようにして蓋体４０を閉じた状態に固定する。これにより、糞の匂いが拡散することなく、袋内に糞を収容したまま運ぶことができる。その後、犬等の散歩が終了すると、枠体１０と挟持体３０とを分離して袋をはずし、糞を適宜処理する。
【００１０】
なお、本実施形態では、ティッシュケースを保持するティッシュケース保持手段として、留め環２２ｂを例示しているが、ティッシュケース保持手段は、ティッシュケースを入れる箱体や、ティッシュケースを挟持するクリップなど種々の変形が可能である。
【図面の簡単な説明】
【００１１】
【図１】実施形態に係るペット用糞回収具の斜視図である。
【図２】枠体と持ち手を示す斜視図である。
【図３】挟持体と蓋体の裏面を示す斜視図である。
【符号の説明】
【００１２】
Ｘ      ペット用糞回収具
１０    枠体
１１    穴
２０    取っ手
２２ｂ  留め環
３０    挟持体
３１    突起
４０    蓋体
【図１】
0003114946.tif 000003
【図２】
0003114946.tif 000004
【図３】
0003114946.tif 000005